(57)【要約】【課題】  ２層式光ディスクの一方の信号記録層に記録されている信号の再生動作を行う場合に他方の信号記録層から反射される迷光がトラッキング制御動作に悪影響を与えるという問題がある。【解決手段】  レーザー光を放射するレーザーダイオード１と、該レーザーダイオード１から放射されるレーザー光が入射されるとともに０次光であるメインビーム、＋１次光及び−１次光であるサブビームを生成させる回折格子２とより成り、サブビームの光量とメインビームの光量との比率を略１対７になるよう設定する。【選択図】  図１
2008084414.tif 000002
【特許請求の範囲】
【請求項１】
第１信号記録層及び第２信号記録層を備えた２層式光ディスクに記録されている信号を読み出すための光ピックアップ装置であり、レーザー光を放射するレーザーダイオードと、該レーザーダイオードから放射されるレーザー光が入射されるとともに０次光であるメインビーム、＋１次光及び−１次光であるサブビームを生成させる回折格子とより成り、サブビームの光量とメインビームの光量との比率を略１対７になるように設定したことを特徴とする光ピックアップ装置。
【請求項２】
フォーカシング制御動作が行われている方の信号記録層である動作信号記録層から反射されるサブビームが照射される光検出器より得られるトラッキングエラー信号を少なくとも用いてメインビームを動作信号記録層に設けられている信号トラックに追従させるトラッキング制御動作を行うようにしたことを特徴とする請求項１に記載の光ピックアップ装置。
【請求項３】
動作信号記録層から反射されるとともに光検出器に照射されるサブビームの光量に対し、フォーカシング制御動作が行われていない方の信号記録層である不動作信号記録層から反射されるメインビームの前記光検出器に照射される光量を略１０％になるようにしたことを特徴とする請求項２に記載の光ピックアップ装置。
【発明の詳細な説明】
【技術分野】
【０００１】
本発明は、光ディスクに記録されている信号の読み出し動作を行う光ピックアップ装置に関する。
【背景技術】
【０００２】
光ピックアップ装置から照射されるレーザー光を光ディスクに設けられている信号記録層に照射することによって信号の読み出し動作を行うことが出来る光ディスク装置が普及している。
【０００３】
信号記録層に記録されている信号の光ピックアップ装置による読み出し動作は、レーザーダイオードから放射されるレーザー光を信号記録層に照射させ、該信号記録層から反射されるレーザー光の変化を光検出器によって検出することによって行われている。
【０００４】
レーザー光によって信号記録層に記録されている信号を読み出すためには、レーザー光を信号記録層に合焦させるフォーカシング制御動作及び信号記録層に渦巻き状に設けられている信号トラックにレーザー光を追従させるトラッキング制御動作を行う必要がある。
【０００５】
斯かるフォーカシング制御動作を行う方法としては、種々あるが非点収差法が一般的に行われている。また、トラッキング制御方法としても種々あるが、メインビームと２つのサブビームを使用する３ビーム法が一般的に行われている。斯かるフォーカシング制御動作に利用される非点収差法及びトラッキング制御動作に利用される３ビーム法は、共に周知であるのでその説明は省略する。
【０００６】
また、最近では、信号記録層が１層ではなく２層設けられている光ディスクが製品化されており、斯かる光ディスクに設けられている信号記録層に記録されている信号の読み出し動作を行う光ピックアップ装置も製品化されている。
【０００７】
２層式の光ディスクに記録されている信号の読み出し動作を行う場合、読み出し動作が行われている方の信号記録層へのフォーカシング制御動作及びトラッキング制御動作が行われるが、読み出し動作が行われていない方の信号記録層から反射されるレーザー光、所謂迷光と呼ばれる光がトラッキング制御動作に使用されるトラッキングエラー信号を生成する光検出器に照射され、この迷光によってトラッキングエラー信号にオフセットが発生したり、振幅変動が発生し、トラッキング制御動作が不安定になるという問題がある。
【０００８】
斯かる問題を解決する技術として光ピックアップ装置が組み込まれる光ディスク装置において、２つの光検出器から得られる信号を減算処理することによって迷光による影響を無くした技術が開発されている。（特許文献１参照。）
【特許文献１】特開平９−１６１２９５号公報
【発明の開示】
【発明が解決しようとする課題】
【０００９】
前述した特許文献にて示した従来技術は、光ピックアップ装置が組み込まれる光ディスク装置における改良であり、光ピックアップ装置に組み込まれている光検出器等の特性にバラツキがあると光ディスク装置側では対処が困難になる。斯かる問題は、光ピックアップ装置の製造会社の責任であり、特性の向上が要求されている。
【００１０】
本発明は、迷光によってトラッキング制御動作が不安定になることを解決することが出
来る光ピックアップ装置を提供しようとするものである。
【課題を解決するための手段】
【００１１】
本発明は、第１信号記録層及び第２信号記録層を備えた２層式光ディスクに記録されている信号を読み出すための光ピックアップ装置であり、レーザー光を放射するレーザーダイオードと、該レーザーダイオードから放射されるレーザー光が入射されるとともに０次光であるメインビーム、＋１次光及び−１次光であるサブビームを生成させる回折格子とより成り、サブビームの光量とメインビームの光量との比率を略１対７になるように設定したものである。
【００１２】
また、本発明は、フォーカシング制御動作が行われている方の信号記録層である動作信号記録層から反射されるサブビームが照射される光検出器より得られるトラッキングエラー信号を用いてメインビームを動作信号記録層に設けられている信号トラックに追従させるトラッキング制御動作を行うように構成されている。
【００１３】
そして、本発明は、動作信号記録層から反射されるとともに光検出器に照射されるサブビームの光量に対し、フォーカシング制御動作が行われていない方の信号記録層である不動作信号記録層から反射されるメインビームの前記光検出器に照射される光量を略１０％になるようにしたものである。
【発明の効果】
【００１４】
本発明の光ピックアップ装置は、サブビームの光量とメインビームの光量との比率を略１対７になるように設定したので、２層式の光ディスクに設けられている一方の信号記録層に記録されている信号の読み出し動作を行っているときに他方の信号記録層から反射される迷光の光量を低く抑えることが出来、トラッキング制御動作を安定して行うことが出来る。
【実施例】
【００１５】
図１は本発明に係る光ピックアップ装置を示す要部の斜視図、図２は本発明の動作を説明するための図、図３は本発明に係る光ピックアップ装置に組み込まれる光検出器とレーザー光との関係を説明するための図である。
【００１６】
まず、光ピックアップ装置の構成について図１を参照して説明する。図１において、１はレーザー駆動回路から供給される駆動信号に対応した出力のレーザー光Ｌ１を放射するレーザーダイオードであり、レーザー光Ｌ１は断面が楕円状のレーザー光である。
【００１７】
２は前記レーザーダイオード１から放射されるレーザー光Ｌ１が入射される回折格子であり、メインビームである０次光とサブビームである＋１次光及び−１次光より成るレーザー光Ｌ２を生成出射する作用を成すものである。
【００１８】
３は前記回折格子２から出射されるレーザー光Ｌ２が入射される偏光ビームスプリッタであり、光ディスク（図示せず）に照射されるレーザー光Ｌ３を透過させるとともにレーザー光の出力を制御するべく設けられているフロントモニターダイオード４へ照射されるモニター用レーザー光Ｌ４を反射させる反射膜３ａが設けられている。また、前記反射膜３ａは後述するように光ディスクから反射される戻り光を制御用レーザー光として反射させる作用も成すように構成されている。
【００１９】
５は前記偏光ビームスプリッタ３の反射膜３ａを透過したレーザー光Ｌ３が入射されるコリメータレンズであり、入射されるレーザー光Ｌ３を平行光であるレーザー光Ｌ５に変更する作用を成すものである。６は前記レーザー光Ｌ５が入射される反射ミラーであり、
前記レーザー光Ｌ５の全てをレーザー光Ｌ６として光ディスク方向へ反射させる作用を成すものである。斯かる反射ミラー６は、一般的には立ち上げミラーと呼ばれている。
【００２０】
７は前記反射ミラー６から反射されたレーザー光Ｌ６が入射される１／４波長板であり、レーザー光Ｌ６の位相を１／４波長ずらせる作用を成すものである。８は前記１／４波長板７を透過したレーザー光Ｌ７が入射される対物レンズであり、光ディスクに設けられている信号記録層に絞ったレーザー光Ｌ８として合焦させる作用を成すものである。また、前記対物レンズ８は、光ディスクの信号面に対して垂直方向への変位動作によってフォーカシング制御動作を行うとともに光ディスクの径方向への変位動作によってトラッキング制御動作を行うように構成されている。斯かる動作を行う対物レンズは、例えば４本の支持ワイヤーにて変位可能に設けられているが、斯かる構成は周知であるので、その説明は省略する。
【００２１】
前記対物レンズ８によって光ディスクの信号記録層に照射されたレーザー光Ｌ８は前記信号記録層から反射された戻り光として前記対物レンズ８に入射される。前記対物レンズ８に入射される戻り光は、前記１／４波長板７、反射ミラー６及びコリメータレンズ５を通して前記偏光ビームスプリッタ３に入射される。
【００２２】
このようにして、前記偏光ビームスプリッタ３に入射される戻り光の位相は前記１／４波長板７を往復透過するため、即ち２回透過するため、１／２波長だけずれることになる。このようにして位相がずれた戻り光が前記偏光ビームスプリッタ３に入射されると、該偏光ビームスプリッタ３に形成されている反射膜３ａによって制御用レーザー光Ｌ９として反射される。
【００２３】
９は前記偏光ビームスプリッタ３の反射膜３ａにて反射された制御用レーザー光Ｌ９が入射されるセンサーレンズであり、該制御用レーザー光Ｌ９をＰＤＩＣと呼ばれる光検出器１０に設けられている受光部に集光レーザー光Ｌ１０として照射させる作用を有している。
【００２４】
図１に示した光ピックアップ装置において、レーザーダイオード１から放射されるレーザー光Ｌ１は、回折格子２、偏光ビームスプリッタ３、コリメータレンズ５、反射ミラー６及び１／４波長板７を通して対物レンズ８に入射され、該対物レンズ８の合焦動作によって光ディスクの信号記録層に照射されることになる。
【００２５】
前記信号記録層に照射されたレーザー光Ｌ８は該信号記録層から反射されて戻り光として対物レンズ８に入射される。前記対物レンズ８に入射された戻り光は、１／４波長板７、反射ミラー６及びコリメータレンズ５を介して偏光ビームスプリッタ３に入射される。
【００２６】
前記偏光ビームスプリッタ３に入射された戻り光は、該偏光ビームスプリッタ３に設けられている反射膜３ａによって制御用レーザー光Ｌ９として反射される。このようにして得られる制御用レーザー光Ｌ９はセンサーレンズ９に入射されるとともに集光レーザー光Ｌ１０として光検出器１０に設けられている受光部に照射される。
【００２７】
前記光検出器１０に設けられている受光部としては、図３に示すように０次光であるメインビームＭが照射されるとともに信号再生動作やフォーカシング制御動作に使用されるメインビーム用受光部ＭＤ、＋1次光である先行サブビームＳ１が照射されるとともにトラッキング制御動作に使用される先行サブビーム用受光部ＳＤ１及び−1次光である後行サブビームＳ２が照射されるとともにトラッキング制御動作に使用される後行サブビーム用受光部ＳＤ２にて構成されている。
【００２８】
前記メインビーム用受光部ＭＤ、先行サブビーム用受光部ＳＤ１及び後行サブビーム用受光部ＳＤ２は、図示したように各々４分割されたセンサーにて構成されている。そして、前記メインビーム用受光部ＭＤを構成する全センサーＡ、Ｂ、Ｃ、Ｄに照射されるメインビームの光量に応じた信号を加算することによって光ディスクに記録されている信号から再生信号として読み出すように構成されているが、斯かる動作は周知であり、その説明は省略する。
【００２９】
また、前記メインビーム用受光部ＭＤを構成する４分割センサーの中の対角関係にあるセンサーから得られる信号を加算するとともにこの加算信号から他方の対角関係にあるセンサーから得られる信号を加算信号した信号を減算することによってフォーカスエラー信号を生成させ、このフォーカスエラー信号を利用してフォーカシング制御動作を行うように構成されているが、斯かる動作は周知であり、その説明は省略する。
【００３０】
前述したようにメインビーム用受光部ＭＤより得られる信号による再生動作及びフォーカシング制御動作は行われるが、次にトラッキング制御動作について説明する。斯かるトラッキング制御動作は、先行サブビーム用受光部ＳＤ１への先行サブビームＳ１の照射動作及び後行サブビーム用受光部ＳＤ２への後行サブビームＳ２の照射動作によって行われる。
【００３１】
例えば、先行サブビーム用受光部ＳＤ１を構成する４分割センサーの中の上側にある２つのセンサーＩ、Ｊから得られる信号を加算するとともにこの加算信号から下側にある２つのセンサーＬ、Ｋから得られる信号を加算した信号を減算させて第１制御信号を得、また、後行サブビーム用受光部ＳＤ２を構成する４分割センサーの中の上側にある２つのセンサーＥ、Ｆから得られる信号を加算するとともにこの加算信号から下側にある２つのセンサーＨ、Ｇから得られる信号を加算した信号を減算させて第２制御信号を得、このようにして得られた第１制御信号と第２制御信号とを演算処理することによってトラッキングエラー信号を生成させるように構成されているが、斯かる動作も周知であり、その説明は省略する。
【００３２】
また、前述したトラッキング制御動作に加えて最近では、サブビームＳ１、Ｓ２だけでなくメインビームＭが照射されるメインビーム用受光部ＭＤから得られるトラッキングエラー信号を利用してトラッキング制御動作を行う方式、所謂差動プッシュプルと呼ばれる方式が精度向上のために採用されている。
【００３３】
斯かる方式におけるトラッキングエラー信号は、メインビーム用受光部ＭＤから得られるメイントラッキングエラー信号から先行サブビーム用受光部ＳＤ１及び後行サブビーム用受光部ＳＤ２から得られるサブトラッキングエラー信号を減算することによって得るように構成されている。
【００３４】
図示したセンサー部の符号を参照して説明する。メインのトラッキングエラー信号をＭＴＥとすると、ＭＴＥ＝（Ａ＋Ｂ）−（Ｃ＋Ｄ）となり、サブのトラッキングエラー信号をＳＴＥとすると、ＳＴＥ＝｛（Ｅ＋Ｆ）−（Ｇ＋Ｈ）｝＋｛（Ｉ＋Ｊ）−（Ｌ＋Ｋ）｝と表される。
【００３５】
そして、斯かる差動プッシュプル方式におけるトラッキング制御動作は、差動プッシュプル信号ＤＰＰに基づいて行われるが、このＤＰＰ信号は、ＤＰＰ＝ＭＴＥ−ｋ＊ＳＴＥとして得られる。ここで、ｋは定数である。
【００３６】
このようにサブビームのみを使用したトラッキング制御動作やサブビームとメインビームとを組み合わせたトラッキング制御動作を行う光ピックアップ装置が開発されている。
【００３７】
また、前記レーザーダイオード１から放射されたレーザー光Ｌ１は、回折格子２によって回折されたレーザー光Ｌ２として偏光ビームスプリッタ３に入射されるが、その一部は反射膜３ａによって反射されてモニター用レーザー光Ｌ４としてフロントモニターダイオード４へ照射される。
【００３８】
前記フロントモニターダイオード４に照射されるモニター用レーザー光Ｌ４は、前記レーザーダイオード１から放射されるレーザー光Ｌ１の出力レベルに応じて変化することになる。従って、前記フロントモニターダイオード４によって生成されるモニター信号をレーザーダイオード１に駆動信号を供給するべく設けられている駆動回路に帰還させることによってレーザーダイオード１から放射されるレーザー光Ｌ１の出力を所定値になるように制御するレーザーサーボ動作を行うことが出来る。斯かるレーザーサーボ動作は、周知であり、その説明は省略する。
【００３９】
前述したようにメインビーム用受光部ＭＤより得られる信号からフォーカスエラー信号を生成させ、このフォーカスエラー信号に基づいてフォーカシング制御動作は行われるが、斯かるフォーカシング制御動作は対物レンズ８を光ディスクＤの信号面に対して垂直方向に変位させることによって行われる。
【００４０】
図２は光ディスクＤに設けられている第１信号記録層Ｌ０と第２信号記録層Ｌ１と対物レンズ８との関係を示すものであり、図示した状態は第１信号記録層Ｌ０にレーザー光Ｌ８を合焦させた状態を示すものである。即ち、斯かる状態では、第１信号記録層Ｌ０にレーザー光Ｌ８が合焦されており、該第１信号記録層Ｌ０に設けられている信号トラックに対するトラッキング制御動作が行われて該第１信号記録層Ｌ０に記録されている信号の再生動作が行われることになる。
【００４１】
第２信号記録層Ｌ１に記録されている信号の再生動作を行う場合には、対物レンズ８を図２に示した位置より下方へ変位させることによってレーザー光Ｌ８を該第２信号記録層Ｌ１に合焦させることによって行われるが、斯かる各信号記録層に対する合焦動作は周知であるので、その説明は省略する。
【００４２】
以上に説明したように本発明に係る光ピックアップ装置は、構成されているが、次に本発明の要旨、即ちトラッキング制御動作に対する迷光対策について説明する。
【００４３】
まず、従来の光ピックアップ装置における迷光による悪影響動作について説明する。図２に示すように第１信号記録層Ｌ０に記録されている信号の再生動作を行っているとき、該第１信号記録層Ｌ０には、回折格子２にて生成されたメインビームＭ、先行サブビームＳ１及び後行サブビームＳ２より成るレーザー光Ｌ８が照射された状態にある。
【００４４】
そして、斯かるメインビームＭ、先行サブビームＳ１及び後行サブビームＳ２は、各々前記第１信号記録層Ｌ０から反射された後、対物レンズ８、１／４波長板７、反射ミラー６及びコリメータレンズ５を通して偏光ビームスプリッタ３の反射膜３ａに入射される。このようにして入射されたレーザー光は、前述したように前記偏光ビームスプリッタ３の反射膜３ａにて反射され、制御用レーザー光Ｌ９としてセンサーレンズ９に入射される。
【００４５】
前記センサーレンズ９に入射された制御用レーザー光Ｌ９は、該センサーレンズ９の集光作用によって集光レーザー光Ｌ１０として光検出器１０に設けられている受光部に照射される。図３の(Ａ)は、このようにして照射される集光レーザー光Ｌ１０と受光部との関係を示すものであり、同図より明らかなようにメインビームＭ、先行サブビームＳ１及び後行サブビームＳ２が各々メインビーム用受光部ＭＤ、先行サブビーム用受光部ＳＤ１及
び後行サブビーム用受光部ＳＤ２上に照射されることになる。
【００４６】
このようにメインビームＭ、先行サブビームＳ１及び後行サブビームＳ２が各々メインビーム用受光部ＭＤ、先行サブビーム用受光部ＳＤ１及び後行サブビーム用受光部ＳＤ２上に照射される結果、第１信号記録層Ｌ０へのフォーカシング制御動作及び該第１信号記録層Ｌ０に設けられている信号トラックに対するトラッキング制御動作が行われる。従って、前記第１信号記録層Ｌ０に記録されている信号の再生動作を行うことが出来る。
【００４７】
前述したように対物レンズ８の合焦動作によって光ディスクＤの第１信号記録層Ｌ０にレーザー光Ｌ８が照射されるが、このレーザー光Ｌ８の中のメインビームＭは、第２信号記録層Ｌ１から迷光として、図２の破線で示すように反射される。このようにして、第２信号記録層Ｌ１から反射される迷光は、第１信号記録層Ｌ０から反射されるレーザー光と同様に対物レンズ８、１／４波長板７、反射ミラー６、コリメータレンズ５を通して偏光ビームスプリッタ３の反射膜３ａに入射される。
【００４８】
このようにして偏光ビームスプリッタ３の反射膜３ａに入射された迷光は、該反射膜３ａにて反射された後、センサーレンズ９を通して光検出器１０に設けられている受光部に照射される。斯かる迷光は、第１信号記録層Ｌ０からの反射光のように合焦されたレーザー光ではないので、該センサーレンズ９によって受光部に集光されることはない。
【００４９】
図３の(Ｂ)は、前述したメインビーム用受光部ＭＤ、先行サブビーム用受光部ＳＤ１及び後行サブビーム用受光部ＳＤ２と迷光との関係を示すものであり、斜線で示す部分Ｐが迷光ビームの照射部分である。
【００５０】
この図より明らかなように迷光ビームが光検出器１０に設けられているメインビーム用受光部ＭＤ、先行サブビーム用受光部ＳＤ１及び後行サブビーム用受光部ＳＤ２上に照射されることになる。メインビーム用受光部ＭＤに照射されるメインビームＭの光量は、迷光ビームの光量よりも十分大きいので、メインビーム用受光部ＭＤによる信号生成動作、即ち第１信号記録層Ｌ０に記録されている信号の再生動作及びフォーカスエラー信号の生成動作に悪影響を与えることはない。
【００５１】
一方、先行サブビーム用受光部ＳＤ１及び後行サブビーム用受光部ＳＤ２にトラッキングエラー信号を生成するために照射される先行サブビームＳ１及び後行サブビームＳ２の光量は、メインビームＭの光量より小さくなるように設定されているので、即ち、迷光の光量の比率が先行サブビームＳ１及び後行サブビームＳ２の光量に対して比較的大きくなる。その結果、信号記録層Ｌから反射されるメインビームＭから生成される迷光が先行サブビーム用受光部ＳＤ１及び後行サブビーム用受光部ＳＤ２上に照射されることによって受ける影響が大きくなり、トラッキング制御動作が不安定になるという問題がある。
【００５２】
メインビームである０次光とサブビームである＋１次光及び−１次光は、回折格子２によって生成されるが、その光量比、即ち１つのサブビームとメインビームの光量比は、一般に１対１５に設定されている。従って、第２信号記録層Ｌ１から迷光として反射されるサブビームの光量は、迷光として反射されるメインビームの光量と比較して小さいので、トラッキング制御動作に与える影響は無視することが出来る。
【００５３】
ここで、第１信号記録層Ｌ０から反射されるサブビームＳ１、Ｓ２と第２信号記録層Ｌ１から反射されるメインビームの迷光との関係について、従来の回折格子２によって生成されるサブビームの光量とメインビームの光量との比率を１対１５として説明する。
【００５４】
また、光ディスクＤには第１信号記録層Ｌ０及び第２信号記録層Ｌ１が設けられている
が、第２信号記録層Ｌ１の透過率及び反射率を夫々Ｔ１及びＲ１とし、第１信号記録層の反射率をＲ０として説明する。そして、迷光ビームが照射される部分Ｐの面積に対する光検出器１０の受光部の面積比をａとする。
【００５５】
第１信号記録層Ｌ０の反射率であるＲ０が２１％、第２信号記録層Ｌ１の透過率Ｔ１が８５％そして反射率Ｒ１が１５％になるように規定された光ディスクＤが製品化されており、斯かる光ディスクＤについて説明する。また、光ピックアップ装置において、前記面積比ａを０．０１２として説明する。
【００５６】
まず、メインビームの正規光量、即ち第１信号記録層Ｌ０から反射される光量をＩｍとすると、Ｉｍ＝１×Ｔ１×Ｒ０×Ｔ１と表され、その値は０．１５２となる。また、サブビームの正規光量、即ち第１信号記録層Ｌ０から反射される光量をＩｓとすると、Ｉｓ＝１／(１＋１５＋１)×Ｔ１×Ｒ０×Ｔ１と表され、その値は０．００８９となる。
【００５７】
次に第２信号記録層Ｌ１から反射するメインビームの光量、即ち迷光の光量をＩｎとすると、Ｉｎ＝１×Ｒ１と表され、その値は０．１５となる。
【００５８】
前記メインビームの正規光量Ｉｍに対する迷光の光量比率をαｍとすると、αｍ＝Ｉｎ／Ｉｍ×ａと表され、その値は０．０１２となる。
【００５９】
また、サブビームの正規光量であるＩｓに対する迷光の光量であるＩｎの光量比率をαｓとすると、αｓ＝Ｉｎ／Ｉｓ×ａと表され、その値は０．２０２となる。
【００６０】
このように第１信号記録層Ｌ０に記録されている信号を再生するために行われるトラッキング制御動作に使用されるサブビームの正規光量であるＩｓに対する迷光の光量であるＩｎの光量比率αｓは、約２０％となる。この比率は、かなり大きくトラッキング制御動作を安定して行うことが出来なかった。
【００６１】
本発明は、斯かる点を改良するために回折格子２によって生成されるサブビームの光量とメインビームとの光量比を１対７にしたものである。斯かる光量比の設定は、回折格子２を構成する格子の溝の深さを改良することによって設定することが出来る。
【００６２】
このように光量比を設定した場合のサブビームの正規光量、即ち第１信号記録層Ｌ０から反射される光量をＩｓｓとすると、Ｉｓｓ＝１／(１＋７＋１)×Ｔ１×Ｒ０×Ｔ１と表され、その値は０．０１６６となる。
【００６３】
また、サブビームの正規光量であるＩｓｓに対する迷光の光量であるＩｎの光量比率をαｓｓとすると、αｓｓ＝Ｉｎ／Ｉｓｓ×ａと表され、その値は０．１０７となる。
【００６４】
このように第１信号記録層Ｌ０に記録されている信号を再生するために行われるトラッキング制御動作に使用されるサブビームの正規光量であるＩｓｓに対する迷光の光量であるＩｎの光量比率αｓｓは、約１０％となり、この比率の光量比率であれば、トラッキング制御動作を安定して行うことが出来ることが確かめられた。
【００６５】
このようにすることによって、多層光ディスクに記録されている信号を再生する場合に発生していた迷光によるトラッキング制御の誤動作問題を解決することが出来る。また、光ディスクに設けられている信号記録層の透過率や反射率の変更に伴ってメインビームとサブビームの光量比を変更することは可能である。
【図面の簡単な説明】
【００６６】
【図１】本発明に係る光ピックアップ装置を示す要部の斜視図である。
【図２】本発明の動作を説明するための図である。
【図３】本発明に係る光ピックアップ装置に組み込まれる光検出器とレーザー光との関係を説明するための図である
【符号の説明】
【００６７】
１      レーザーダイオード
２      回折格子
３      偏光ビームスプリッタ
８      対物レンズ
９      センサーレンズ
１０    光検出器
【図１】
2008084414.tif 000003
【図２】
2008084414.tif 000004
【図３】
2008084414.tif 000005